(57)【要約】【課題】機械的強度、とりわけ荷重が加わった際のたわみが少ない合成樹脂製パレットを提供すること。【解決手段】合成樹脂からなる概ね矩形のパレットであって、該パレットの少なくとも一つのデッキボードは、概ねその中央部を円心とし、同心円状に配置された複数の環状板からなる環状セクションと、前記環状セクションのうち最も外側に位置する環状板のさらに外側に配置され複数の直線状板が格子状に交差した格子セクションから構成されており、環状セクションで最も外側に位置する環状板で囲まれた領域の面積が、デッキボードの面積の２０〜６０％を占めており、しかも、同心円状に配置された複数の環状板の間隔が２００ｍｍ以下であることを特徴とする合成樹脂製パレット。【選択図】図３
2004269002.tif 000002
【特許請求の範囲】
【請求項１】
合成樹脂からなる概ね矩形のパレットであって、該パレットの少なくとも一つのデッキボードは、概ねその中央部を円心とし、同心円状に配置された複数の環状板からなる環状セクションと、前記環状セクションのうち最も外側に位置する環状板のさらに外側に配置され複数の直線状板が格子状に交差した格子セクションから構成されており、環状セクションで最も外側に位置する環状板で囲まれた領域の面積が、デッキボードの面積の２０〜６０％を占めており、しかも、同心円状に配置された複数の環状板の間隔が２００ｍｍ以下であることを特徴とする合成樹脂製パレット。
【請求項２】
直線状の補強板が複数の環状板と交差するごとく配置されていることを特徴とする請求項１に記載の合成樹脂製パレット。
【発明の詳細な説明】
【０００１】
【発明の属する技術分野】
本発明は荷物の保管、運搬の際に使用する合成樹脂製パレットに係り、さらに詳しくは、機械的強度、とりわけ荷重が加わった際のたわみが少ない合成樹脂製パレットに関するものである。
【０００２】
【従来の技術】
近年、製品輸送、保管等の方法としてパレットを用いることが多い。これは多量の製品を一括して取扱うことができるメリットのためであり、現代の物流システムにはなくてはならないものとなっている、パレットとしては製造のし易さ、衛生性等から合成樹脂製パレットが多く用いられるようになっている。合成樹脂製パレットも種々あるが代表的な合成樹脂製パレットとしては、ポリエチレン、ポリプロピレン等を原料とし射出成形によって形成したパレットが多く用いられている。
【０００３】
ポリエチレン、ポリプロピレン等を原料とした合成樹脂製パレットは、衛生性、成形性等に優れ実用上大変有用であるが、一方、その材質上、強度的には限界があり、特に曲げ強度等に問題を残している。そして、より重い荷物を取り扱うための、更に強度に優れた合成樹脂製パレットが望まれていた。このような中、曲げ強度を改良するため上部デッキボードには格子状の板体を、下面デッキボードには板体、より好ましくはリブを形成した板体を以て構成した合成樹脂製一体成形パレットが提案されている（例えば特許文献１参照。）。
しかしながら、このような構造を有する合成樹脂製パレットにおいてもなお機械的強度、とりわけ荷重が加わった際のたわみに対する抵抗は十分とはいえず、さらなる改良が求められていた。
【０００４】
【特許文献１】
特開平８−３４４３８号公報  （第１−８頁）
【０００５】
【発明が解決しようとする課題】
本発明はこのような状況に鑑みなされたもので、機械的強度、とりわけ荷重が加わった際のたわみが少ない合成樹脂製パレットを提供することを課題とする。
【０００６】
【課題を解決するための手段】
本発明者らは鋭意研究を行った。この結果デッキボードを、同心円状に配置された複数の環状板からなる環状セクションと、複数の直線状板が格子状に交差した格子セクションとから構成することにより前記課題が解決できることを見いだし本発明に至った。すなわち本発明は、
▲１▼合成樹脂からなる概ね矩形のパレットであって、該パレットの少なくとも一つのデッキボードは、概ねその中央部を円心とし、同心円状に配置された複数の環状板からなる環状セクションと、前記環状セクションのうち最も外側に位置する環状板のさらに外側に配置され複数の直線状板が格子状に交差した格子セクションから構成されており、環状セクションで最も外側に位置する環状板で囲まれた領域の面積が、デッキボードの面積の２０〜６０％を占めており、しかも、同心円状に配置された複数の環状板の間隔が２００ｍｍ以下であることを特徴とする合成樹脂製パレットに関するものである。
【０００７】
▲２▼直線状の補強板が複数の環状板と交差するごとく配置されていることを特徴とする▲１▼に記載の合成樹脂製パレットに関するものである。
【０００８】
【発明の実施の形態】
本発明の合成樹脂製パレットは、上述のように少なくとも一つのデッキボードが、概ねその中央部を円心とし、同心円状に配置された複数の環状板からなる環状セクションと、前記環状セクションのうち最も外側に位置する環状板のさらに外側に配置され複数の直線状板が格子状に交差した格子セクションから構成されている。さらに、環状セクションで最も外側に位置する環状板で囲まれた面積が、デッキボードの全面積の２０〜６０％を占めており、しかも、同心円状に配置された複数の環状板の間隔が２００ｍｍ以下である。このように構成されている本発明の合成樹脂製パレットは、機械的強度、とりわけ荷重が加わった際のたわみが少ない。なお、環状セクションで最も外側に位置する環状板で囲まれた領域の面積が、デッキボードの面積の２０〜６０％を占めるとは、パレットの縦×横×高さを、Ｌ×Ｗ×Ｈ（ｍｍ）とし、最も外側に位置する環状板の直径をＲ（ｍｍ）とした場合、１００×π×（Ｒ／２）２／（Ｌ×Ｗ）の値が２０〜６０となることを意味する。
【０００９】
以下本発明を、図面を参照しつつ詳細に説明する。
図４〜６は、従来の合成樹脂製パレットを示す図である。図４は正面図、図５は図４をＡ−Ａ’で切断し、デッキボードの裏面を見た図、図６は同じくその斜視図である。なお縦×横×高さが、１１００ｍｍ×１１００ｍｍ×１５０ｍｍで、四方差しのものを示した。直線状板４が格子状に交差することにより格子セクション５がデッキボードの一面に配置されているのがわかる。
【００１０】
図１〜３は、本発明の合成樹脂製パレットを図であり、図１は正面図、図２は図１をＡ−Ａ’で切断し、デッキボードの裏面を見た図、図３は同じくその斜視図である。なお、縦×横×高さが、１１００ｍｍ×１１００ｍｍ×１５０ｍｍで四方差しのものを示した。同図で示された本発明の合成樹脂製パレット１のデッキボードは、概ねその中央部を円心とする４条の環状板２が同心円状に配置されて環状セクション３、そして、環状セクション３で最も外側に位置する環状板２の外側には複数の直線状板４が格子状に交差した格子セクション５により構成されている。さらに環状セクション３で最も外側に位置する環状板２で囲まれた面積は、デッキボードの面積の約３０％を占めている。さらに、複数の環状板２の間隔は８０〜１１０ｍｍの範囲になっている。
さらに図１〜３で示された合成樹脂製パレット１には同心円状に配置された複数の環状板２の円心に向かって補強板６が複数の環状板２と交差するごとく対角線状に配置されている。
このように、直線状の補強板が複数の環状板と交差するごとく配置されること、さらに好ましくは、図２〜３に示したごとく、同心円状に配置された複数の環状板の円心に向かって補強板が複数の環状板と交差するごとく配置されることにより、パレットの機械的強度、とりわけ荷重が加わった際のたわみが顕著に低減化される。
【００１１】
なお、以上の説明では、合成樹脂製パレットとして上部デッキボード、及び下部デッキボードがいずれも天板を備え、デッキボード表面が平滑なものを例示したが、上部デッキボード、及び下部デッキボードのいずれか、あるいはいずれもが天板を備えないものであってもよい。さらに下部デッキボードを有さないものであってもよく、フォーク挿入口は二方差しタイプ、四方差しタイプのいずれであってもよい。ただし、デッキボードが天板を備えないものである場合には、環状板を前記した補強板等により合成樹脂パレット本体に固定しておく必要がある。
【００１２】
本発明の合成樹脂製パレットの製造方法としては射出成形やプレス成形が採用可能である。さらに、これらの成形方法においても、パレットを一体的に成形する一体成形法、予め分割成形した部品の分割面を突き合わせ溶着することによって一体のパレットを得る突き合わ溶着成形法のいずれも採用することができる。
また本発明の合成樹脂製パレットに用いる合成樹脂としては、ポリプロピレン、ポリエチレン、ポリエステル、ポリスチレン、ポリアミド等溶融成形が可能なものであれば制限なく使用が可能である。さらにリサイクルされた合成樹脂も使用可能である。
【００１３】
【実施例】
以下実施例により本発明の合成樹脂製パレットをより詳細に説明する。
［実施例１］
ポリプロピレン（住友化学工業株式会社製  ＦＬ８５１）をプレス成形することにより、図２〜３に示すごとくの形状のパレット部材を２枚製造した。次いでこの２枚のパレット部材を突き合わせて溶着して、縦、横各１１００ｍｍ、高さ１５０ｍｍ、上下デッキボードの天板の厚み５ｍｍ、環状板、直線状板、補強板の厚みが８ｍｍで、最大積載量１ｔの合成樹脂製パレットを製造した。得られた合成樹脂製パレットをＪＩＳ  Ｚ  ０６０２に準拠して評価した。この結果を表１に示す。
【００１４】
［比較例１］
ポリプロピレン（住友化学工業株式会社製  ＦＬ８５１）をプレス成形することにより、図５〜６に示すごとくの形状のパレット部材を２枚製造した。次いでこの２枚のパレット部材を突き合わせて溶着して、縦、横各１１００ｍｍ、高さ１５０ｍｍ、上下デッキボードの天板の厚み５ｍｍ、環状板、直線状板、補強板の厚みが８ｍｍで、最大積載量１ｔの合成樹脂製パレットを製造した。得られた合成樹脂製パレットをＪＩＳ  Ｚ  ０６０２に準拠して評価した。この結果を表１に示す。
【００１５】
【表１】
2004269002.tif 000003
【００１６】
表１より、本発明で提供される合成樹脂パレットは、従来のものに比較して、たわみ率が少なく、残留たわみも少ないことがわかる。また、落下の衝撃に対する抵抗力に優れていることもわかる。
【００１７】
【発明の効果】
以上説明したように、本発明によれば、機械的強度、とりわけ荷重が加わった際のたわみが少ない合成樹脂製パレットが提供される。このような特長を有する本発明の合成樹脂製パレットは流通分野において好適に使用されるものである。
【図面の簡単な説明】
【図１】本発明の合成樹脂製パレットを示す正面図である。
【図２】本発明の合成樹脂製パレットを示す図であり、図１をＡ−Ａ’で切断し、デッキボードの裏面を見た図である。
【図３】本発明の合成樹脂製パレットを示す図であり、図１をＡ−Ａ’で切断し、デッキボードの裏面を見た斜視図である。
【図４】従来のの合成樹脂製パレットを示す正面図である。
【図５】従来の合成樹脂製パレットを示す図であり、図４をＢ−Ｂ’で切断し、デッキボードの裏面を見た図である。
【図６】従来の合成樹脂製パレットを示す図であり、図４をＢ−Ｂ’で切断し、デッキボードの裏面を見た斜視図。
【符号の説明】
１．合成樹脂製パレット
２．環状板
３．環状セクション
４．直線状板
５．格子セクション
６．補強板
【図１】
2004269002.tif 000004
【図２】
2004269002.tif 000005
【図３】
2004269002.tif 000006
【図４】
2004269002.tif 000007
【図５】
2004269002.tif 000008
【図６】
2004269002.tif 000009